(57)【特許請求の範囲】
【請求項１】
一台の室外機に複数台の室内機を接続する分離型空気調和機において、前記室内機に結露センサーを設け、停止中の前記室内機の前記結露センサーが結露を検出した場合、前記停止中の室内機の送風機を所定時間（Ｔ１）運転することを特徴とする分離型空気調和機。
【請求項２】
停止中の室内機の結露センサーが結露を検出した場合、前記停止中の室内機の送風機を前記結露センサーが結露を検出しなくなるまで運転することを特徴とする請求項１記載の分離型空気調和機。
【請求項３】
一台の室外機に複数台の室内機を接続する分離型空気調和機において、前記室内機に結露センサーを設け、停止中の前記室内機の前記結露センサーが結露を検出した場合、前記停止中の室内機の送風機を所定時間（Ｔ２）運転し、その後再び該室内機の前記結露センサーが結露を検出した場合は、該室内機の送風機の回転数を増加して所定時間（Ｔ３）運転することを特徴とする分離型空気調和機。
【請求項４】
室内機の送風機の回転数を増加した後、結露センサーが結露を検出しない場合は、前記室内機の送風機を停止することを特徴とする請求項３記載の分離型空気調和機。
【請求項５】
一台の室外機に複数台の室内機を接続する分離型空気調和機において、前記室内機に結露センサーを設け、停止中の前記室内機の前記結露センサーが結露を検出した場合、前記停止中の室内機の送風機を所定時間（Ｔ４）運転し、その後再び該室内機の前記結露センサーが結露を検出した場合は、該室内機の送風機の回転数を増加して所定時間（Ｔ５）運転し、なお前記室内機の前記結露センサーが結露を検出した場合は、該室内機の送風機の回転数を下げて所定時間（Ｔ６）運転することを特徴とする分離型空気調和機。
【請求項６】
室内機の送風機の回転数を下げた後、結露センサーが結露を検出しない場合は、前記室内機の送風機を停止することを特徴とする請求項５記載の分離型空気調和機。
【請求項７】
停止中の室内機の送風機の運転と同時に圧縮機を停止することを特徴とする請求項１記載の分離型空気調和機。
【請求項８】
停止中の室内機の送風機の運転と同時に圧縮機を停止したあと、結露センサーが結露を検出しなくなった場合は、前記停止中の室内機の送風機を停止すると同時に前記圧縮機の運転を再開することを特徴とする請求項７記載の分離型空気調和機。
【請求項９】
一台の室外機に複数台の室内機を接続する分離型空気調和機において、前記室内機に結露センサーを設け、停止中の前記室内機の前記結露センサーが結露を検出した場合圧縮機を停止し、所定時間（Ｔ７）経過後前記停止中の室内機の前記結露センサーが結露を検出した場合は、該停止中の室内機の送風機を運転し、所定時間（Ｔ８）経過後該停止中の室内機の送風機を停止すると共に、前記圧縮機の運転を再開することを特徴とする分離型空気調和機。
【請求項１０】
停止中の室内機の送風機を運転した後、結露センサーが結露を検出しなくなった場合は、前記停止中の室内機の送風機を停止すると共に、圧縮機の運転を再開することを特徴とする請求項９記載の分離型空気調和機。
【請求項１１】
停止中の室内機の送風機の運転と同時に圧縮機の運転周波数を低減することを特徴とする請求項１記載の分離型空気調和機。
【請求項１２】
停止中の室内機の送風機の運転と同時に圧縮機の運転周波数を低減したあと、結露センサーが結露を検出しなくなった場合は、前記停止中の室内機の送風機を停止すると同時に前記圧縮機の運転周波数を上昇させることを特徴とする請求項１１記載の分離型空気調和機。
【請求項１３】
一台の室外機に複数台の室内機を接続する分離型空気調和機において、前記室内機に結露センサーを設け、停止中の前記室内機の前記結露センサーが結露を検出した場合圧縮機の運転周波数を低下し、所定時間（Ｔ９）経過後前記停止中の室内機の前記結露センサーが結露を検出した場合は、該停止中の室内機の送風機を運転し、所定時間（Ｔ１０）経過後該停止中の室内機の送風機を停止すると共に、前記圧縮機の運転周波数を上昇させることを特徴とする分離型空気調和機。
【請求項１４】
停止中の室内機の送風機を運転した後、結露センサーが結露を検出しなくなった場合は、前記停止中の室内機の送風機を停止すると共に、前記圧縮機の運転周波数を上昇させることを特徴とする請求項１３記載の分離型空気調和機。
【請求項１５】
停止中の室内機の送風機の運転と同時に運転中の室内機用の電子膨張弁を開き、前記停止中の室内機の電子膨張弁を閉じることを特徴とする請求項１記載の分離型空気調和機。
【請求項１６】
停止中の室内機の送風機の運転と同時に運転中の室内機用の電子膨張弁を開き、前記停止中の室内機の電子膨張弁を閉じたあと、結露センサーが結露を検出しなくなった場合は、前記停止中の室内機の送風機を停止すると同時に前記電子膨張弁を通常制御に戻すことを特徴とする請求項１５記載の分離型空気調和機。
【請求項１７】
一台の室外機に複数台の室内機を接続する分離型空気調和機において、前記室内機に結露センサーを設け、停止中の前記室内機の前記結露センサーが結露を検出した場合、運転中の室内機用の電子膨張弁を開くと共に、前記停止中の室内機の電子膨張弁を閉じ、所定時間（Ｔ１１）経過後前記停止中の室内機の前記結露センサーが結露を検出した場合は該停止中の室内機の送風機を運転し、所定時間（Ｔ１２）経過後該停止中の室内機の送風機を停止すると共に、前記電子膨張弁を通常制御に戻すことを特徴とする分離型空気調和機。
【請求項１８】
停止中の室内機の送風機を運転したあと、結露センサーが結露を検出しなくなった場合は、前記停止中の室内機の送風機を停止すると共に、電子膨張弁を通常制御に戻すことを特徴とする請求項１７記載の分離型空気調和機。
【請求項１９】
ガス管側の室内熱交換器と分配部間にバルブを設け、停止中の室内機の結露センサーが結露を検出した場合、前記停止中の室内機の送風機の運転と同時に前記バルブを閉じることを特徴とする請求項１記載の分離型空気調和機。
【請求項２０】
停止中の室内機の送風機の運転と同時にバルブを閉じたあと、結露センサーが結露を検出しなくなった場合は、前記停止中の室内機の送風機を停止すると同時に前記バルブを開くことを特徴とする請求項１９記載の分離型空気調和機。
【請求項２１】
一台の室外機に複数台の室内機を接続する分離型空気調和機において、前記室内機に結露センサーを設けると共に、ガス管側の室内熱交換器と分配部間にバルブを設け、停止中の前記室内機の前記結露センサーが結露を検出した場合、前記バルブを開き、所定時間（Ｔ１３）経過後前記停止中の室内機の前記結露センサーが結露を検出した場合は該停止中の室内機の送風機を運転し、所定時間（Ｔ１４）経過後該停止中の室内機の送風機を停止すると共に、前記バルブを閉じることを特徴とする分離型空気調和機。
【請求項２２】
停止中の室内機の送風機を運転したあと、結露センサーが結露を検出しなくなった場合は、前記停止中の室内機の送風機を停止すると共に、バルブを閉じることを特徴とする請求項２１記載の分離型空気調和機。
【請求項２３】
室内熱交換器のバイパス回路とバイパスバルブを設け、停止中の室内機の結露センサーが結露を検出した場合、前記停止中の室内機の送風機の運転と同時に前記バイパスバルブを開くことを特徴とする請求項１記載の分離型空気調和機。
【請求項２４】
停止中の室内機の送風機を運転したあと、結露センサーが結露を検出しなくなった場合は、前記停止中の室内機の送風機を停止すると同時にバイパスバルブを閉じることを特徴とする請求項２３記載の分離型空気調和機。
【請求項２５】
一台の室外機に複数台の室内機を接続する分離型空気調和機において、前記室内機に結露センサーを設けると共に、室内熱交換器のバイパス回路とバイパスバルブを設け、停止中の前記室内機の前記結露センサーが結露を検出した場合、前記バイパスバルブを開き、所定時間（Ｔ１５）経過後前記停止中の室内機の前記結露センサーが結露を検出した場合は該停止中の室内機の送風機を運転し、所定時間（Ｔ１６）経過後該停止中の室内機の送風機を停止すると共に、前記バイパスバルブを閉じることを特徴とする分離型空気調和機。
【請求項２６】
停止中の室内機の送風機を運転したあと、結露センサーが結露を検出しなくなった場合は、前記停止中の室内機の送風機を停止すると共に、バイパスバルブを閉じることを特徴とする請求項２５記載の分離型空気調和機。
【発明の詳細な説明】
【０００１】
【発明の属する技術分野】
この発明は１台の室外機に複数台の室内機を接続する分離型空気調和機に関するものである。
【０００２】
【従来の技術】
図３０は、１台の室外機に複数台の室内機が接続された従来の分離型空気調和機の冷媒回路図である。図において、１は圧縮機、２は冷媒の流れる方向を変化させ冷房／暖房運転の切り換えを行なう四方弁、３は室外熱交換器、４ａ，４ｂはそれぞれの室内熱交換器への冷媒の流量を調整する電子膨張弁、５ａ，５ｂは室内熱交換器６ａ，６ｂは室内機の熱交換器の温度を検知する管温サーミスター、７、８は冷媒を分配・合流する分配部である。
【０００３】
冷房運転時、冷媒は図３０の実線矢印の方向に流れ、圧縮機１から吐出された冷媒は、室外熱交換器３にて凝縮、分配部７にて分配、電子膨張弁４ａ，４ｂにて減圧され、室内熱交換器５ａ，５ｂにおいて蒸発し、分配部８で合流し圧縮機１に戻る。室内熱交換器５ａ，５ｂにて冷媒が蒸発する際、吸収する熱で被空調室の空気調和をしている。また暖房運転時の冷媒の流れは図３０の点線矢印の方向で冷房時の逆となり、室内熱交換器５ａ，５ｂにて凝縮する際に放出する熱で被空調室の空調調和をしている。
【０００４】
吐出冷媒量は、圧縮機１の運転と停止により調節するタイプと、それだけでなく圧縮機１の回転数を可変させ調節するタイプの２種類ある。
【０００５】
電子膨張弁４ａ，４ｂは複数の室内機の各熱交換器５ａ，５ｂに対応し冷媒回路中に設けられ、その弁の開度により、減圧量や各室内熱交換器５ａ，５ｂへの冷媒流量を調整している。
【０００６】
管温サーミスター６ａ，６ｂは各室内熱交換器５ａ，５ｂに設けられ、室内熱交換器５ａ，５ｂの温度を検知し、冷房時は凍結防止用として、暖房時はその温度の上昇による冷媒回路の高圧防止の保護に用いられている。
【０００７】
また室内機の各々には、電源の入／切、冷房／暖房運転切替え、室内送風機の回転数切替えにより風速を調整するスイッチがある。
室内機ＡまたはＢのみの運転だけでなく、２台の室内機の運転内容が同様の場合、接続された複数台の室内機同時運転が可能である。
室内機ＡまたはＢのみの運転の場合、電子膨張弁の弁固定による動作不良防止を目的とし、停止中の室内機の電子膨張弁をわずかに開き熱交換器に冷媒を流している。
【０００８】
次に室内機について説明する。
図３１は従来の分離型空気調和機室内機の断面側面図である。図において、５は室内熱交換器、６は管温サーミスター、９は室内機本体筺体、１０は吸込グリル、１１はフィルター、１２は室内送風機、１３は吹出口である。
【０００９】
被空調室の空気は、吸込グリル１０を介して空気調和機室内機に吸込まれ、フィルター１１にてほこりを除去、熱交換器５にて熱交換され、室内送風機１２の回転する速さに応じ吹出口１３から吹出される。室内機の送風量を空調機本体により自動調節する場合、設定温度と室温の差が大きい場合送風量を増加し、設定温度と室温の差が小さい場合送風量を減らしている。また暖房運転時は管音サーミスターの温度による送風量の上限規制をしている。
【００１０】
しかしながら、室内機Ｂのみを冷房運転した場合、停止中の室内機Ａの本体筺体は、電子膨張弁４ａがわずかに開いているため圧縮機１から吐出された冷媒が熱交換器５ａに流れ込み、冷却される。停止中の室内機Ａの下で大量の水蒸気が発生した場合や、室内機の据付け場所が浴室近傍で、連続的に長時間水蒸気が発生した場合に、結露水がその水蒸気は停止中の室内筺体内に入り込み露点に達し、結露し滴下するという現象があった。
【００１１】
１台の室外機に複数台の室内機を接続した空気調和機において、停止中の室内機からの結露水滴下防止の対策が、特開平６−２１３４９７号公報にて提案されている。
【００１２】
【発明が解決しようとする課題】
従来の分離型空気調和機は、以上のように構成されているので、室内機Ｂのみ冷房運転中、停止中の室内機Ａ本体はその熱交換器５ａに流れ込む冷媒により冷却され、停止中の室内機Ａの下で大量の水蒸気が発生した場合、その水蒸気は停止中の室内筺体内に入り込み結露し滴下するため室内機筺体下の床面を濡らすという問題点があった。
【００１３】
また滴下を防ぐ手段として、室内送風機１２を連続運転する手段もあるが、常に室内送風機１２を運転するため消費電力も大きくなるという問題点があった。
【００１４】
この発明は、以上のような問題点を解決するためになされたもので、停止中の室内機から結露水の滴下を防止し、消費電力を低減した空気調和機を提供することを目的とする。
【００１５】
【課題を解決するための手段】
請求項１の発明に係る分離型空気調和機は、一台の室外機に複数台の室内機を接続する分離型空気調和機において、室内機に結露センサーを設け、停止中の室内機の結露センサーが結露を検出した場合、停止中の室内機の送風機を所定時間（Ｔ１）運転することを特徴とする。
【００１６】
請求項２の発明に係る分離型空気調和機は、請求項１記載のものにおいて、停止中の室内機の結露センサーが結露を検出した場合、停止中の室内機の送風機を結露センサーが結露を検出しなくなるまで運転することを特徴とする。
【００１７】
請求項３の発明に係る分離型空気調和機は、一台の室外機に複数台の室内機を接続する分離型空気調和機において、室内機に結露センサーを設け、停止中の室内機の結露センサーが結露を検出した場合、停止中の室内機の送風機を所定時間（Ｔ２）運転し、その後再び室内機の結露センサーが結露を検出した場合は、室内機の送風機の回転数を増加して所定時間（Ｔ３）運転することを特徴とする。
【００１８】
請求項４の発明に係る分離型空気調和機は、請求項３記載のものにおいて、室内機の送風機の回転数を増加した後、結露センサーが結露を検出しない場合は、室内機の送風機を停止することを特徴とする。
【００１９】
請求項５の発明に係る分離型空気調和機は、一台の室外機に複数台の室内機を接続する分離型空気調和機において、室内機に結露センサーを設け、停止中の室内機の結露センサーが結露を検出した場合、停止中の室内機の送風機を所定時間（Ｔ４）運転し、その後再び室内機の結露センサーが結露を検出した場合は、室内機の送風機の回転数を増加して所定時間（Ｔ５）運転し、なお室内機の結露センサーが結露を検出した場合は、室内機の送風機の回転数を下げて所定時間（Ｔ６）運転することを特徴とする。
【００２０】
請求項６の発明に係る分離型空気調和機は、請求項５記載のものにおいて、室内機の送風機の回転数を下げた後、結露センサーが結露を検出しない場合は、室内機の送風機を停止することを特徴とする。
【００２１】
請求項７の発明に係る分離型空気調和機は、請求項１記載のものにおいて、停止中の室内機の送風機の運転と同時に圧縮機を停止することを特徴とする。
【００２２】
請求項８の発明に係る分離型空気調和機は、請求項７記載のものにおいて、停止中の室内機の送風機の運転と同時に圧縮機を停止したあと、結露センサーが結露を検出しなくなった場合は、停止中の室内機の送風機を停止すると同時に圧縮機の運転を再開することを特徴とする。
【００２３】
請求項９の発明に係る分離型空気調和機は、一台の室外機に複数台の室内機を接続する分離型空気調和機において、室内機に結露センサーを設け、停止中の室内機に結露センサーが結露を検出した場合圧縮機を停止し、所定時間（Ｔ７）経過後停止中の室内機の結露センサーが結露を検出した場合は、停止中の室内機の送風機を運転し、所定時間（Ｔ８）経過後該停止中の室内機の送風機を停止すると共に、圧縮機の運転を再開することを特徴とする。
【００２４】
請求項１０の発明に係る分離型空気調和機は、請求項９記載のものにおいて、停止中の室内機の送風機を運転した後、結露センサーが結露を検出しなくなった場合は、停止中の室内機の送風機を停止すると共に、圧縮機の運転を再開することを特徴とする。
【００２５】
請求項１１の発明に係る分離型空気調和機は、請求項１記載のものにおいて、停止中の室内機の送風機の運転と同時に圧縮機の運転周波数を低減することを特徴とする。
【００２６】
請求項１２の発明に係る分離型空気調和機は、請求項１１記載のものにおいて、停止中の室内機の送風機の運転と同時に圧縮機の運転周波数を低減したあと、結露センサーが結露を検出しなくなった場合は、停止中の室内機の送風機を停止すると同時に圧縮機の運転周波数を上昇させることを特徴とする。
【００２７】
請求項１３の発明に係る分離型空気調和機は、一台の室外機に複数台の室内機を接続する分離型空気調和機において、室内機に結露センサーを設け、停止中の室内機の結露センサーが結露を検出した場合圧縮機の運転周波数を低下し、所定時間（Ｔ９）経過後停止中の室内機の結露センサーが結露を検出した場合は、停止中の室内機の送風機を運転し、所定時間（Ｔ１０）経過後停止中の室内機の送風機を停止すると共に、圧縮機の運転周波数を上昇させることを特徴とする。
【００２８】
請求項１４の発明に係る分離型空気調和機は、請求項１３記載のものにおいて、停止中の室内機の送風機を運転した後、結露センサーが結露を検出しなくなった場合は、停止中の室内機の送風機を停止すると共に、圧縮機の運転周波数を上昇させることを特徴とする。
【００２９】
請求項１５の発明に係る分離型空気調和機は、請求項１記載のものにおいて、停止中の室内機の送風機の運転と同時に運転中の室内機用の電子膨張弁を開き、停止中の室内機の電子膨張弁を閉じることを特徴とする。
【００３０】
請求項１６の発明に係る分離型空気調和機は、請求項１５記載のものにおいて、停止中の室内機の送風機の運転と同時に運転中の室内機用の電子膨張弁を開き、停止中の室内機の電子膨張弁を閉じたあと、結露センサーが結露を検出しなくなった場合は、停止中の室内機の送風機を停止すると同時に電子膨張弁を通常制御に戻すことを特徴とする。
【００３１】
請求項１７の発明に係る分離型空気調和機は、一台の室外機に複数台の室内機を接続する分離型空気調和機において、室内機に結露センサーを設け、停止中の室内機に結露センサーが結露を検出した場合、運転中の室内機用の電子膨張弁を開くと共に、停止中の室内機の電子膨張弁を閉じ、所定時間（Ｔ１１）経過後停止中の室内機の結露センサーが結露を検出した場合は停止中の室内機の送風機を運転し、所定時間（Ｔ１２）経過後停止中の室内機の送風機を停止すると共に、電子膨張弁を通常制御に戻すことを特徴とする。
【００３２】
請求項１８の発明に係る分離型空気調和機は、請求項１７記載のものにおいて、停止中の室内機の送風機を運転したあと、結露センサーが結露を検出しなくなった場合は、停止中の室内機の送風機を停止すると共に、電子膨張弁を通常制御に戻すことを特徴とする。
【００３３】
請求項１９の発明に係る分離型空気調和機は、請求項１記載のものにおいて、ガス管側の室内熱交換器と分配部間にバルブを設け、停止中の室内機の結露センサーが結露を検出した場合、停止中の室内機の送風機の運転と同時にバルブを閉じることを特徴とする。
【００３４】
請求項２０の発明に係る分離型空気調和機は、請求項１９記載のものにおいて、停止中の室内機の送風機の運転と同時にバルブを閉じたあと、結露センサーが結露を検出しなくなった場合は、停止中の室内機の送風機を停止すると同時にバルブを開くことを特徴とする。
【００３５】
請求項２１の発明に係る分離型空気調和機は、一台の室外機に複数台の室内機を接続する分離型空気調和機において、室内機に結露センサーを設けると共に、ガス管側の室内熱交換器と分配部間にバルブを設け、停止中の室内機の結露センサーが結露を検出した場合、バルブを開き、所定時間（Ｔ１３）経過後停止中の室内機の結露センサーが結露を検出した場合は停止中の室内機の送風機を運転し、所定時間（Ｔ１４）経過後該停止中の室内機の送風機を停止すると共に、バルブを閉じることを特徴とする。
【００３６】
請求項２２の発明に係る分離型空気調和機は、請求項２１記載のものにおいて、停止中の室内機の送風機を運転したあと、結露センサーが結露を検出しなくなった場合は、停止中の室内機の送風機を停止すると共に、バルブを閉じることを特徴とする。
【００３７】
請求項２３の発明に係る分離型空気調和機は、請求項１記載のものにおいて、室内熱交換器のバイパス回路とバイパスバルブを設け、停止中の室内機の結露センサーが結露を検出した場合、停止中の室内機の送風機の運転と同時にバイパスバルブを開くことを特徴とする。
【００３８】
請求項２４の発明に係る分離型空気調和機は、請求項２３記載のものにおいて、停止中の室内機の送風機を運転したあと、結露センサーが結露を検出しなくなった場合は、停止中の室内機の送風機を停止すると同時にバイパスバルブを閉じることを特徴とする。
【００３９】
請求項２５の発明に係る分離型空気調和機は、一台の室外機に複数台の室内機を接続する分離型空気調和機において、室内機に結露センサーを設けると共に、室内熱交換器のバイパス回路とバイパスバルブを設け、停止中の室内機の結露センサーが結露を検出した場合、バイパスバルブを開き、所定時間（Ｔ１５）経過後停止中の室内機の結露センサーが結露を検出した場合は停止中の室内機の送風機を運転し、所定時間（Ｔ１６）経過後停止中の室内機の送風機を停止すると共に、バイパスバルブを閉じることを特徴とする。
【００４０】
請求項２６の発明に係る分離型空気調和機は、請求項２５記載のものにおいて、停止中の室内機の送風機を運転したあと、結露センサーが結露を検出しなくなった場合は、停止中の室内機の送風機を停止すると共に、バイパスバルブを閉じることを特徴とする。
【００４１】
【発明の実施の形態】
実施の形態１．
以下、この発明の実施の形態１を図について説明する。この実施の形態で説明する分離型空気調和機は、１台の室外機に複数台の室内機を接続したもので、ここでは２台の室内機Ａ，Ｂを接続したケースについて説明する。図１は、この発明の実施の形態１を示す空気調和機室内機の断面側面図である。図において、１４は結露センサーで、その他は図３１と同一である。
【００４２】
図２はこの実施の形態１の制御方法を示すフローチャート図である。
室内機Ｂのみを冷房運転した場合、冷媒回路の電子膨張弁の弁固定による動作不良防止を目的とし、停止中の室内機Ａの電子膨張弁をわずかに開くため、停止中の室内機Ａ本体はその熱交換器に流れる冷媒により冷却される。停止中の室内機のＡの下で大量の水蒸気が発生した場合、その水蒸気は停止中の室内筺体内に入り込み露点に達し結露し滴下するが、本実施の形態では、ステップＳ１〜Ｓ５に示す通り、水蒸気により本体内面内側に結露が発生した場合、結露センサー１４が結露を感知し室内機の送風機１２を所定時間運転するため、その結露の表面に強制的に風を当て蒸発させるため、室内機からの滴下を防止できる。
【００４３】
実施の形態２．
以下、この発明の実施の形態２を図について説明する。図３はこの発明の実施の形態２の制御方法を示すフローチャート図である。
室内機Ｂのみを冷房運転した場合、停止中の室内機Ａ本体はその熱交換器に流れる冷媒により冷却される。停止中の室内機Ａの下で大量の水蒸気が発生した場合、その水蒸気は停止中の室内筺体内に入り込み露点に達し結露し滴下するが、本実施の形態では、ステップＳ１１〜Ｓ１４に示す通り、水蒸気により本体内面内側に結露が発生した場合、結露センサー１４が結露を感知し室内機の送風機１２を所定時間運転するため、その結露水の表面に強制的に風を当て蒸発させるため、室内機からの滴下を防止できる。またステップＳ１５〜Ｓ１７に示す通り、結露センサー１４の結露水の有無を判定することにより、必要な時間に限り室内送風機の運転できるため、消費電力を抑えることができる。
【００４４】
実施の形態３．
以下、この発明の実施の形態３を図について説明する。図４はこの発明の実施の形態３の制御方法を示すフローチャート図である。
室内機Ｂのみを冷房運転した場合、停止中の室内機Ａ本体はその熱交換器に流れる冷媒により冷却される。停止中の室内機Ａの下で大量の水蒸気が発生した場合、その水蒸気は停止中の室内筺体内に入り込み露点に達し結露し滴下するが、本実施の形態では、ステップＳ２１〜Ｓ２８に示す通り、水蒸気により本体内面内側に結露が発生した場合、結露センサー１４が結露を感知し室内機の送風機１２を所定時間運転後、なお結露センサー１４に結露を感知していれば送風機１２の回転数を上げ所定時間運転し停止することにより、その結露水の表面に当てる風を増加し蒸発させるため、室内機からの滴下を防止できるだけでなく、室内送風機１２の運転時間を短縮することができる。
【００４５】
また、図５はこの実施の形態の他の制御方法を示すフローチャート図である。ステップＳ２９，Ｓ３０を追加することにより、室内送風機１２の運転時間を結露センサー１４の感知により最適に調節でき消費電力を低減できる。
【００４６】
実施の形態４．
以下、この発明の実施の形態４を図について説明する。図６はこの発明の実施の形態４の制御方法を示すフローチャート図である。
室内機Ｂのみを冷房運転した場合、停止中の室内機Ａ本体はその熱交換器に流れる冷媒により冷却される。停止中の室内機Ａの下で大量の水蒸気が発生した場合、その水蒸気は停止中の室内筺体内に入り込み露点に達し結露し滴下するが、本実施の形態では、ステップＳ３１〜Ｓ４１に示す通り、水蒸気により本体内面内側に結露が発生した場合や、室内機の据付け場所が浴室近傍で、連続的に長時間水蒸気が発生している場合に、結露センサー１４が結露を感知し室内機の送風機１２を所定時間運転後、なお結露センサー１４が結露を感知していれば送風機１２の回転数を上げ所定時間運転後、まだ結露センサー１４に結露水が付着していた場合、送風機１２の回転数を低減し運転することにより、その結露水の表面に当てる風を増加し蒸発させ、その後も結露水の成長を防ぐことが可能なため、室内機からの滴下を防止できる。
【００４７】
また、図７はこの実施の形態４の他の制御方法を示すフローチャート図である。ステップＳ４２，Ｓ４３を追加することにより、室内送風機１２の運転時間を結露センサー１４の感知により最適に調節でき消費電力を低減できる。
【００４８】
実施の形態５．
以下、この発明の実施の形態５を図について説明する。図８はこの発明の実施の形態５の制御方法を示すフローチャート図である。
室内機Ｂのみを冷房運転した場合、停止中の室内機Ａ本体はその熱交換器に流れる冷媒により冷却される。停止中の室内機Ａの下で大量の水蒸気が発生した場合、その水蒸気は停止中の室内筺体内に入り込み露点に達し結露し滴下するが、本実施の形態では、水蒸気により本体内面内側に結露が発生した場合、結露センサー１４が結露を感知し室内機の送風機１２の運転と同時に圧縮機の運転を停止し、所定時間経過後、送風機１２の運転停止と圧縮機の運転を再開するため、室内送風機１２の運転により結露水の蒸発だけでなく、発生も防ぐことが可能であるため、室内機からの滴下を防止できる。圧縮機から吐出する冷媒量を運転あるいは停止にて調整するタイプの空気調和機に効果がある。
【００４９】
また、図９はこの実施の形態の他の制御方法を示すフローチャート図である。ステップＳ５６，Ｓ５７を追加することにより、室内送風機１２の運転時間を結露センサー１４の感知により最適に調節でき消費電力を低減できる。
【００５０】
実施の形態６．
以下、この発明の実施の形態６を図について説明する。図１０はこの発明の実施の形態６の制御方法を示すフローチャート図である。
室内機Ｂのみを冷房運転した場合、停止中の室内機Ａ本体はその熱交換器に流れる冷媒により冷却される。停止中の室内機Ａの下で大量の水蒸気が発生した場合、その水蒸気は停止中の室内筺体内に入り込み露点に達し結露し滴下するが、本実施の形態では、ステップＳ６１〜Ｓ６８に示す通り、水蒸気により本体内面内側に結露が発生した場合、結露センサー１４が結露を感知し圧縮機を停止し、所定時間経過後、結露センサー１４が結露を感知している場合に、停止中の室内機の送風機１２を運転し、所定時間経過後、送風機１２を停止し圧縮機の運転を再開するため、結露水の付着量が少量の場合、送風機１２を運転することなく室内機からの滴下を防止できるだけでなく、圧縮機から吐出する冷媒量を運転あるいは停止にて調整するタイプの空気調和機で有効である。
【００５１】
また、図１１はこの実施の形態の他の制御方法を示すフローチャート図である。ステップＳ６９を追加することにより、室内送風機運転時間を結露センサー１４の感知により最適に調節でき消費電力を低減できる。
【００５２】
実施の形態７．
以下、この発明の実施の形態７を図について説明する。図１２はこの発明の実施の形態７の制御方法を示したフローチャート図である。
室内機Ｂのみを冷房運転した場合、停止中の室内機Ａ本体はその熱交換器に流れる冷媒により冷却される。停止中の室内機Ａの下で大量の水蒸気が発生した場合、その水蒸気は停止中の室内筺体内に入り込み露点に達し結露し滴下するが、本実施の形態では、水蒸気により本体内面内側に結露が発生した場合、結露センサー１４が結露を感知し室内機の送風機１２の運転と同時に圧縮機の運転回転数を低減し、所定時間経過後、送風機１２の運転停止と圧縮機の運転回転数を増加するため、送風機１２の運転により結露水の蒸発だけでなく、結露の成長も防ぐことが可能で、室内機からの滴下を防止できるだけでなく、圧縮機から吐出する冷媒量をその回転数により調節するタイプの場合に有効で、圧縮機の回転を停止しないため、運転中の室内機Ｂに連続して冷媒を流すことが可能であり連続空調ができる。
【００５３】
また、図１３はこの実施の形態の他の制御方法を示すフローチャート図である。ステップＳ７６を追加することにより、室内送風機運転時間を結露センサー１４の感知により最適に調節でき消費電力を低減できる。
【００５４】
実施の形態８．
以下、この発明の実施の形態８を図について説明する。図１４はこの発明の実施の形態８の制御方法を示したフローチャート図である。
室内機Ｂのみを冷房運転した場合、停止中の室内機Ａ本体はその熱交換器に流れる冷媒により冷却される。停止中の室内機Ａの下で大量の水蒸気が発生した場合、その水蒸気は停止中の室内筺体内に入り込み露点に達し結露し滴下するが、本実施の形態では、ステップＳ８１〜Ｓ８８に示す通り、水蒸気により本体内面内側に結露が発生した場合、結露センサー１４が結露を感知し圧縮機の運転回転数を低減し、所定時間経過後、結露センサー１４が結露を感知している場合に、停止中の室内機の送風機１２を運転し、所定時間経過後、送風機１２を停止し圧縮機の回転数を増加するため、結露水の付着量が少量の場合、送風機１２を運転することなく室内機からの滴下を防止できるだけでなく、圧縮機から吐出する冷媒量をその回転数により調節するタイプの場合に有効で、圧縮機を停止しないため、運転中の室内機Ｂに連続して冷媒を流すことが可能であり連続空調ができる。
【００５５】
また、図１５はこの実施の形態の他の制御方法を示すフローチャート図である。ステップＳ８９を追加することにより、室内送風機運転時間を結露センサー１４の感知により最適に調節でき消費電力を低減できる。
【００５６】
実施の形態９．
以下、この発明の実施の形態９を図について説明する。図１６はこの発明の実施の形態９の制御方法を示したフローチャート図である。
室内機Ｂのみを冷房運転した場合、停止中の室内機Ａ本体はその熱交換器に流れる冷媒により冷却される。停止中の室内機Ａの下で大量の水蒸気が発生した場合、その水蒸気は停止中の室内筺体内に入り込み露点に達し結露し滴下するが、本実施の形態では、ステップＳ９１〜Ｓ９５に示す通り、水蒸気により本体内面内側に結露が発生した場合、結露センサー１４が結露を感知し室内機の送風機１２の運転と同時に運転している室内機用の電子膨張弁４ｂを開き、停止中の室内機用の電子膨張弁４ａを閉じ、所定時間経過後、その送風機１２を停止し電子膨張弁４を通常制御にするため、送風機１２の運転により結露水の蒸発だけでなく、結露の成長も防ぐことが可能で、室内機からの滴下を防止できるだけでなく、圧縮機から吐出する冷媒量の調節を運転あるいは停止によるタイプや圧縮機の回転数によるタイプの両方に有効で、圧縮機を停止しないため、運転中の室内機Ｂに連続して冷媒を流すことが可能であり連続空調ができる。
【００５７】
また、図１７はこの実施の形態の他の制御方法を示すフローチャート図である。ステップＳ９６を追加することにより室内送風機運転時間を結露センサー１４の感知により最適に調節でき消費電力を低減できる。
【００５８】
実施の形態１０．
以下、この発明の実施の形態１０を図について説明する。図１８はこの発明の実施の形態１０の制御方法を示したフローチャート図である。
室内機Ｂのみを冷房運転した場合、停止中の室内機Ａ本体はその熱交換器に流れる冷媒により冷却される。停止中の室内機Ａの下で大量の水蒸気が発生した場合、その水蒸気は停止中の室内筺体内に入り込み露点に達し結露し滴下するが、本実施の形態では、ステップＳ１０１〜Ｓ１０８に示す通り、水蒸気により本体内面内側に結露が発生した場合、結露センサー１４が結露を感知し運転している室内機用の電子膨張弁４ｂを開き、停止中の室内機用の電子膨張弁４ａを閉じ、所定時間経過後、結露センサー１４が結露を感知している場合に、停止中の室内機の送風機１２を運転し、所定時間経過後、送風機１２を停止し電子膨張弁４を通常制御にするため、結露水の付着量が少量の場合、送風機１２を運転することなく室内機からの滴下を防止できるだけでなく、圧縮機から吐出する冷媒量の調節を運転あるいは停止によるタイプや圧縮機に回転数によるタイプの両方に有効で、圧縮機を停止しないため、運転中の室内機Ｂに連続して冷媒を流すことが可能であり連続空調ができる。
【００５９】
また、図１９はこの実施の形態の他の制御方法を示すフローチャート図である。ステップＳ１０９を追加することにより室内送風機運転時間を結露センサー１４の感知により最適に調節でき消費電力を低減できる。
【００６０】
実施の形態１１．
以下、この発明の実施の形態１１を図について説明する。図２０はこの発明の実施の形態１１による空気調和機の冷媒回路図であり、図において、１５ａ，１５ｂはガス管側の室内熱交換器５ａ，５ｂと分配部８の間に設けたバルブである。また図２１はこの発明の実施の形態１１の制御方法を示すフローチャート図である。
【００６１】
室内機Ｂのみを冷房運転した場合、停止中の室内機Ａ本体はその熱交換器に流れる冷媒により冷却される。停止中の室内機Ａの下で大量の水蒸気が発生した場合、その水蒸気は停止中の室内筺体内に入り込み露点に達し結露し滴下するが、本実施の形態では、ステップＳ１１１〜Ｓ１１５に示すように、水蒸気により本体内面内側に結露が発生した場合、結露センサー１４が結露を感知し室内機の送風機１２の運転と同時にバルブ１５ａを閉じ、所定時間経過後、その送風機１２を停止しバルブ１５を開けるため、送風機１２の運転により結露水の蒸発だけでなく、熱交換器への冷媒の流れを防止するため、結露の成長も防ぐことが可能で、室内機からの滴下を防止できるだけでなく、圧縮機から吐出する冷媒量の調節を運転あるいは停止によるタイプや圧縮機に回転数によるタイプの両方に有効で、圧縮機を停止しないため、運転中の室内機Ｂに連続して冷媒を流すことが可能であり連続空調ができる。
【００６２】
また、図２２はこの実施の形態の他の制御方法を示すフローチャート図である。ステップＳ１１６を追加することにより、室内送風機運転時間を結露センサー１４の感知により最適に調節でき消費電力を低減できる。
【００６３】
実施の形態１２．
以下、この発明の実施の形態１２を図について説明する。図２０はこの発明の実施の形態１２による空気調和機の冷媒回路図であり、１５ａ，１５ｂはガス管側の室内熱交換器５ａ，５ｂと分配部８の間に設けたバルブである。また図２３はこの発明の実施の形態１２の制御方法を示したフローチャート図である。
【００６４】
室内機Ｂのみを冷房運転した場合、停止中の室内機Ａ本体はその熱交換器に流れる冷媒により冷却される。停止中の室内機Ａの下で大量の水蒸気が発生した場合、その水蒸気は停止中の室内筺体内に入り込み露点に達し結露し滴下するが、本実施の形態では、ステップＳ１２１〜Ｓ１２８に示す通り、水蒸気により本体内面内側に結露が発生した場合、結露センサー１４が結露を感知しバルブ１５ａを閉じ、所定時間経過後、結露センサーが結露を感知している場合に、停止中の室内機の送風機１２を運転し、所定時間経過後、その送風機１２を停止しバルブ１５ａを開けるため、結露水の付着量が少量の場合、送風機１２を運転することなく室内機からの滴下を防止できるだけでなく、圧縮機から吐出する冷媒量の調節を運転あるいは停止によるタイプや圧縮機に回転数によるタイプの両方に有効で、圧縮機の回転を止めないため、運転中の室内機Ｂに連続して冷媒を流すことが可能であり連続空調ができる。
【００６５】
また、図２４はこの実施の形態の他の制御方法を示すフローチャート図である。ステップＳ１２９の追加により、室内送風機運転時間を結露センサー１４の感知により最適に調節でき消費電力を低減できる。
【００６６】
実施の形態１３．
以下、この発明の実施の形態１３を図について説明する。図２５はこの発明の実施の形態１３による空気調和機の冷媒回路図であり、１６ａ，１６ｂは室内熱交換器に冷媒を流さないように設けたバイパス回路であり、１７ａ，１７ｂはバイパス回路の開閉をするバイパスバルブである。また図２６はこの発明の実施の形態１３の制御方法を示したフローチャート図である。
【００６７】
室内機Ｂのみを冷房運転した場合、停止中の室内機Ａ本体はその熱交換器に流れる冷媒により冷却される。停止中の室内機Ａの下で大量の水蒸気が発生した場合、その水蒸気は停止中の室内筺体内に入り込み露点に達し結露し滴下するが、本実施の形態では、ステップＳ１３１〜Ｓ１３５に示す通り、水蒸気により本体内面内側に結露が発生した場合、結露センサー１４が結露を感知し室内機の送風機１２の運転と同時にバイパスバルブ１７ａを開け、所定時間経過後、その送風機１２を停止しバイパスバルブ１７ａを閉じるため、送風機１２の運転により結露水の蒸発だけでなく、冷媒の流れを変更し室内熱交換器への冷媒流量を削減するため、結露の成長も防ぐことが可能で、室内機からの滴下を防止できるだけでなく、圧縮機から吐出する冷媒量の調節を運転あるいは停止によるタイプや圧縮機に回転数によるタイプの両方に有効で、圧縮機を停止しないため、運転中の室内機Ｂに連続して冷媒を流すことが可能なため連続空調ができる。
【００６８】
また、図２７はこの実施の形態の他の制御方法を示すフローチャート図である。ステップＳ１３６を追加することにより室内送風機運転時間を結露センサー１４の感知により最適に調節でき消費電力を低減できる。
【００６９】
実施の形態１４．
以下、この発明の実施の形態１４を図について説明する。図２５はこの発明の実施の形態１４による空気調和機の冷媒回路図であり、図において１６ａ，１６ｂは室内熱交換器に冷媒を流さないように設けたバイパス回路であり、１７ａ，１７ｂはバイパス回路の開閉をするバイパスバルブである。また図２８はこの発明の実施の形態１４の制御方法を示すフローチャート図である。
【００７０】
室内機Ｂのみを冷房運転した場合、停止中の室内機Ａ本体はその熱交換器に流れる冷媒により冷却される。停止中の室内機Ａの下で大量の水蒸気が発生した場合、その水蒸気は停止中の室内筺体内に入り込み露点に達し結露し滴下するが、本実施の形態では、ステップＳ１４１〜Ｓ１４８に示す通り、水蒸気により本体内面内側に結露が発生した場合、結露センサー１４が結露を感知しバイパスバルブ１７ａを開け、所定時間経過後、結露センサー１４が結露を感知している場合に、停止中の室内機の送風機１２を運転し、所定時間経過後、その送風機１２を停止しバイパスバルブ１７ａを閉じるため結露水の付着量が少量の場合、送風機１２を運転することなく室内機からの滴下を防止できるだけでなく、圧縮機から吐出する冷媒量の調節を運転あるいは停止によるタイプや圧縮機に回転数によるタイプの両方に有効で、圧縮機の回転を止めないため、運転中の室内機Ｂに連続して冷媒を流すことが可能であり連続空調ができる。
【００７１】
また、図２９はこの実施の形態の他の制御方法を示すフローチャート図である。ステップＳ１４９を追加することにより室内送風機運転時間を結露センサー１４の感知により最適に調節でき消費電力を低減できる。
【００７２】
【発明の効果】
以上のように、請求項１〜２６の発明に係る分離型空気調和機は、停止中の室内機から結露水の滴下を防止し、消費電力を低減できる効果を奏する。
【図面の簡単な説明】
【図１】この発明の実施の形態１による分離型空気調和機の断面側面図である。
【図２】この発明の実施の形態１による分離型空気調和機のフローチャート図である。
【図３】この発明の実施の形態２による分離型空気調和機のフローチャート図である。
【図４】この発明の実施の形態３による分離型空気調和機のフローチャート図である。
【図５】この発明の実施の形態３による分離型空気調和機のフローチャート図である。
【図６】この発明の実施の形態４による分離型空気調和機のフローチャート図である。
【図７】この発明の実施の形態４による分離型空気調和機のフローチャート図である。
【図８】この発明の実施の形態５による分離型空気調和機のフローチャート図である。
【図９】この発明の実施の形態５による分離型空気調和機のフローチャート図である。
【図１０】この発明の実施の形態６による分離型空気調和機のフローチャート図である。
【図１１】この発明の実施の形態６による分離型空気調和機のフローチャート図である。
【図１２】この発明の実施の形態７による分離型空気調和機のフローチャート図である。
【図１３】この発明の実施の形態７による分離型空気調和機のフローチャート図である。
【図１４】この発明の実施の形態８による分離型空気調和機のフローチャート図である。
【図１５】この発明の実施の形態８による分離型空気調和機のフローチャート図である。
【図１６】この発明の実施の形態９による分離型空気調和機のフローチャート図である。
【図１７】この発明の実施の形態９による分離型空気調和機のフローチャート図である。
【図１８】この発明の実施の形態１０による分離型空気調和機のフローチャート図である。
【図１９】この発明の実施の形態１０による分離型空気調和機のフローチャート図である。
【図２０】この発明の実施の形態１１による分離型空気調和機の冷媒回路図である。
【図２１】この発明の実施の形態１１による分離型空気調和機のフローチャート図である。
【図２２】この発明の実施の形態１１による分離型空気調和機のフローチャート図である。
【図２３】この発明の実施の形態１２による分離型空気調和機のフローチャート図である。
【図２４】この発明の実施の形態１２による分離型空気調和機のフローチャート図である。
【図２５】この発明の実施の形態１３による分離型空気調和機の冷媒回路図である。
【図２６】この発明の実施の形態１３による分離型空気調和機のフローチャート図である。
【図２７】この発明の実施の形態１３による分離型空気調和機のフローチャート図である。
【図２８】この発明の実施の形態１４による分離型空気調和機のフローチャート図である。
【図２９】この発明の実施の形態１４による分離型空気調和機のフローチャート図である。
【図３０】従来の分離型空気調和機の冷媒回路図である。
【図３１】従来の分離型空気調和機の断面側面図である。
【符号の説明】
１  圧縮機、４ａ，４ｂ  電子膨張弁、５  室内熱交換器、９  室内機、１２室内送風機、１４  結露センサー、１５ａ，１５ｂ  バルブ、１６ａ，１６ｂ
バイパス回路、１７ａ，１７ｂ  バイパスパルプ。
【図１】
0003579177.tif 000002
【図２】
0003579177.tif 000003
【図３】
0003579177.tif 000004
【図４】
0003579177.tif 000005
【図５】
0003579177.tif 000006
【図６】
0003579177.tif 000007
【図７】
0003579177.tif 000008
【図８】
0003579177.tif 000009
【図９】
0003579177.tif 000010
【図１０】
0003579177.tif 000011
【図１１】
0003579177.tif 000012
【図１２】
0003579177.tif 000013
【図１３】
0003579177.tif 000014
【図１４】
0003579177.tif 000015
【図１５】
0003579177.tif 000016
【図１６】
0003579177.tif 000017
【図１７】
0003579177.tif 000018
【図１８】
0003579177.tif 000019
【図１９】
0003579177.tif 000020
【図２０】
0003579177.tif 000021
【図２１】
0003579177.tif 000022
【図２２】
0003579177.tif 000023
【図２３】
0003579177.tif 000024
【図２４】
0003579177.tif 000025
【図２５】
0003579177.tif 000026
【図２６】
0003579177.tif 000027
【図２７】
0003579177.tif 000028
【図２８】
0003579177.tif 000029
【図２９】
0003579177.tif 000030
【図３０】
0003579177.tif 000031
【図３１】
0003579177.tif 000032